(57)【要約】  本発明は、より良い乾燥効率によってキャッサバのチップ、米、トウモロコシ、様々な作物、リュウガン、肥料、バイオマスのような材料の乾燥および鉱業のために発展され、改善されたマルチ乾燥室を備える回転乾燥機に関する。本発明によるマルチ乾燥室を備える回転乾燥機は、ベースフレームと、ベースフレームに取り付けられる駆動アセンブリであって、駆動アセンブリがモータおよび複数のローラを有する、駆動アセンブリと、一端に湿潤材料入口部を有し、他端に乾燥材料出口部を有する乾燥室アセンブリであって、湿潤材料入口部および乾燥材料出口部は、駆動アセンブリのローラ上に取り付けられる、乾燥室アセンブリと、湿潤材料入口部にかぶせられ、ベースフレームに取り付けられる湿潤材料入口アセンブリと、乾燥材料出口部にかぶせられ、ベースフレームに取り付けられる乾燥材料出口アセンブリと、乾燥室アセンブリを包含し、ベースフレームに取り付けられる筐体とを備え、乾燥室アセンブリが、軸芯、軸芯の周りに取り付けられる複数の乾燥室間仕切壁および複数の乾燥室間仕切壁に固定される複数の乾燥室囲い壁から形成される複数の乾燥室を有し、複数の材料流れ制御アセンブリが複数の乾燥室の各々に提供されることを特徴とする。
2019500570.tif 000002
【特許請求の範囲】
【請求項１】
マルチ乾燥室を備える回転乾燥機であって、
ベースフレームと、
前記ベースフレームに取り付けられる駆動アセンブリであって、前記駆動アセンブリがモータおよび複数のローラを有する、前記駆動アセンブリと、
一端に湿潤材料入口部を有し、他端に乾燥材料出口部を有する乾燥室アセンブリであって、前記湿潤材料入口部および前記乾燥材料出口部は、前記駆動アセンブリの前記複数のローラ上に取り付けられる、乾燥室アセンブリと、
前記湿潤材料入口部にかぶせられ、前記ベースフレームに取り付けられる湿潤材料入口アセンブリと、
前記乾燥材料出口部にかぶせられ、前記ベースフレームに取り付けられる乾燥材料出口アセンブリと、
前記乾燥室アセンブリを包含し、前記ベースフレームに取り付けられる筐体と
を備え、
前記乾燥室アセンブリは、軸芯、前記軸芯の周りに取り付けられる複数の乾燥室間仕切壁および前記複数の乾燥室間仕切壁に固定される複数の乾燥室囲い壁から形成される複数の乾燥室を有し、複数の材料流れ制御アセンブリが前記複数の乾燥室の各々に提供される、マルチ乾燥室を備える回転乾燥機。
【請求項２】
前記軸芯が、シート、棒またはストライプのような形状をもつ材料である流れづらい材料に適している先細形状の断面領域でロッド形状を有する、あるいは、粒状または球形をもつ材料である流れやすい材料に適している一定の形状の断面領域でロッド形状を有する、請求項１に記載のマルチ乾燥室を備える回転乾燥機。
【請求項３】
適切な前記複数の乾燥室が、前記軸芯の周りにある少なくとも３部屋を有する、請求項１または２に記載のマルチ乾燥室を備える回転乾燥機。
【請求項４】
前記複数の乾燥室間仕切壁の各々が、長方形壁の形状であり、前記複数の乾燥室間仕切壁の数が前記複数の乾燥室の数に等しい、請求項１から３のいずれか一項に記載のマルチ乾燥室を備える回転乾燥機。
【請求項５】
前記複数の乾燥室囲い壁の各々が、前記乾燥室アセンブリの周囲の多孔性かつ湾曲した長方形壁の形状であり、高温気体が材料の流れ方向に対して横断する方向に流れる場合に適している、請求項１から４のいずれか一項に記載のマルチ乾燥室を備える回転乾燥機。
【請求項６】
前記複数の乾燥室囲い壁の各々が、前記乾燥室アセンブリの周囲の頑丈かつ湾曲した長方形壁の形状であり、高温気体入口が前記湿潤材料入口アセンブリにあり、湿潤気体出口が前記乾燥材料出口アセンブリにあるが、上部筐体、高温気体入口、下部筐体および湿潤気体出口がなく、高温気体が材料の流れ方向と同じ方向または反対の方向に流れる場合に適している、請求項１から４のいずれか一項に記載のマルチ乾燥室を備える回転乾燥機。
【請求項７】
前記複数の材料流れ制御アセンブリの各々が、複数の規則的に配置されたプレートまたは複数のネジ状接続プレートの形状であり、前記乾燥室アセンブリの回転に従って材料が前方に流れることをもたらすべく前記複数の乾燥室の各々に取り付けられる、請求項１から６のいずれか一項に記載のマルチ乾燥室を備える回転乾燥機。
【請求項８】
前記複数の材料流れ制御アセンブリの各々が、パドルをもつ複数のネジ状接続プレートの形状であり、前記乾燥室アセンブリの回転に従ってターンオーバしながら材料が前方に流れることをもたらすべく前記複数の乾燥室の各々に取り付けられる、請求項１から６のいずれか一項に記載のマルチ乾燥室を備える回転乾燥機。
【請求項９】
前記複数の材料流れ制御アセンブリの各々が、パドルをもつ複数のネジ状接続プレートおよび撹拌ブレードをもつ軸方向シャフトの形状であり、前記複数の乾燥室の各々に取り付けられ、高温気体が材料の流れ方向と同じ方向または反対の方向に流れる場合に適している、請求項１から６のいずれか一項に記載のマルチ乾燥室を備える回転乾燥機。
【請求項１０】
前記湿潤材料入口部が、筐体、駆動リングおよび前記筐体に取り付けられる複数のブレードを有する、請求項１から９のいずれか一項に記載のマルチ乾燥室を備える回転乾燥機。
【請求項１１】
前記乾燥材料出口部が、筐体、駆動リングおよび前記筐体に取り付けられる複数の規則的に配置されたブレードを有する、請求項１から１０のいずれか一項に記載のマルチ乾燥室を備える回転乾燥機。
【請求項１２】
前記筐体、前記駆動リング、前記複数の規則的に配置されたブレードおよび軸方向シャフトをもつ複数のネジ状接続プレートの形状である材料流れ制御アセンブリを有する前記乾燥材料出口部が、前記筐体に取り付けられ、高温気体が材料の流れ方向と同じ方向または反対の方向に流れる場合に適している、請求項１１に記載のマルチ乾燥室を備える回転乾燥機。
【請求項１３】
前記筐体が、
高温気体入口室を形成するために、前記乾燥室アセンブリの上部を覆い、高温気体入口を有する上部筐体と、
湿潤気体排出室を形成するために、前記乾燥室アセンブリの下部を覆い、前記ベースフレーム上に取り付けられる湿潤気体出口を有する下部筐体とを有する、請求項１から５のいずれか一項に記載のマルチ乾燥室を備える回転乾燥機。
【請求項１４】
前記マルチ乾燥室を備える回転乾燥機の２またはそれより多くが、直列に接続され、前記マルチ乾燥室を備える回転乾燥機の前記乾燥材料出口部が、前記マルチ乾燥室を備える次の回転乾燥機の前記湿潤材料入口部にかぶせられ、前記マルチ乾燥室を備える回転乾燥機から前記マルチ乾燥室を備える次の回転乾燥機まで材料が連続的に流れることをもたらす、請求項１から１３のいずれか一項に記載のマルチ乾燥室を備える回転乾燥機。
【発明の詳細な説明】
【技術分野】
【０００１】
本発明は、マルチ乾燥室を備える回転乾燥機に関する技術の分野におけるものである。
【背景技術】
【０００２】
回転乾燥機は現在、鉱石、木片、肥料、ナッツおよび他の作物の乾燥のために使用される。回転乾燥機は通常、湿潤材料を一方側に流入させ、かつ、乾燥材料を他方側に流出させるために傾斜した水平軸にあるその乾燥ドラムを有するべく設計される。一般に、乾燥媒体は、材料の流れ方向に対して同じ方向または反対の方向のいずれかに流れるべく制御される高温気体または熱風である。しかしながら、それは横断流（高温気体または熱風が材料の流れ方向に対して横断方向に流れる）を有するべく設計されることがある。一般的に、回転乾燥機は、回転ドラム壁の熱伝導および高温気体流の熱対流を使用することにより気流乾燥機と箱型乾燥機の間の混合の乾燥の側面を有する。上記乾燥機は、材料のいくらかの水分が除去された後に乾燥速度が落ちること、乾燥時間および乾燥コストに関する問題などのような様々な制限を有する。乾燥速度の向上のための代替的な方法は、より少ない乾燥時間を使用して乾燥材料が均一に乾燥され、さらに乾燥材料の品質が乾燥基準を満たすように、乾燥に使用される高温気体の温度を上昇させること、高温気体と材料との間の接触表面積を増やすこと、および高温気体が均等に材料と接触することを可能にするべく乾燥室内の高温気体をうまく扱うことである。乾燥の効率は、乾燥気体の温度によって直接変動するが、高すぎる温度は、材料の燃焼、ひび割れまたは過乾燥という否定的な結果を引き起こし得る。
【０００３】
キャッサバのチップ、米、トウモロコシ、様々な作物、バイオマスおよび鉱石のための乾燥機のような、上述の乾燥機の研究以降、マルチ乾燥室を備える回転乾燥機、特に高温気体が、より少ない乾燥時間を使用してキャッサバのチップ、米、トウモロコシ、様々な作物、リュウガン、バイオマスおよび鉱石を乾燥することができる、材料の流れ方向と同じまたは反対の方向に流れる乾燥機の開示はされていない。
【発明の概要】
【０００４】
本発明は、より良い乾燥効率によってキャッサバのチップ、米、トウモロコシ、様々な作物、リュウガン、バイオマスといった農業製品の乾燥および鉱業のような様々な乾燥産業において使用するための改善を伴うマルチ乾燥室を備える回転乾燥機に関する。
【０００５】
本発明によるマルチ乾燥室を備える回転乾燥機は、キャッサバのチップ、米、様々な作物、リュウガン、肥料、バイオマスといった農業製品の乾燥および鉱業のような乾燥産業を発展させる目的のために発明された新規のものである。本発明によるマルチ乾燥室を備える回転乾燥機は、ベースフレームと、ベースフレームに取り付けられる駆動アセンブリであって、駆動アセンブリがモータおよび複数のローラを有する、駆動アセンブリと、一端に湿潤材料入口部を有し、他端に乾燥材料出口部を有する乾燥室アセンブリであって、湿潤材料入口部および乾燥材料出口部は、駆動アセンブリのローラ上に取り付けられる、乾燥室アセンブリと、湿潤材料入口部にかぶせられ、ベースフレームに取り付けられる湿潤材料入口アセンブリと、乾燥材料出口部にかぶせられ、ベースフレームに取り付けられる乾燥材料出口アセンブリと、乾燥室アセンブリを包含し、ベースフレームに取り付けられる筐体とを備え、乾燥室アセンブリが、軸芯、軸芯の周りに取り付けられる複数の乾燥室間仕切壁および複数の乾燥室間仕切壁に固定される複数の乾燥室囲い壁から形成される複数の乾燥室を有し、複数の材料流れ制御アセンブリが複数の乾燥室の各々に提供されることを特徴とする。
【０００６】
本発明の１つの目的は、乾燥能力を増すこと、乾燥時間を減らすこと、乾燥コストを削減することにより農業者に利益をもたらすこと、キャッサバのチップ、米、トウモロコシ、様々な作物、リュウガン、肥料、バイオマスといった農業製品の乾燥および鉱業のような様々な乾燥産業に利益をもたらすことのような、より良い乾燥効率を得るべくマルチ乾燥室を備える回転乾燥機を改善することである。
【図面の簡単な説明】
【０００７】
【図１】本発明に係る、マルチ乾燥室を備える回転乾燥機の斜視図を示す。
【図２】本発明に係る、マルチ乾燥室を備える回転乾燥機の分解立体図を示す。
【図３】本発明に係る、乾燥室アセンブリの斜視および部分分解立体図を示す。
【図４】本発明に係る、乾燥室アセンブリの湿潤材料入口部の斜視図を示す。
【図５】ＡおよびＢはそれぞれ複数の規則的に配置されたブレードおよび軸方向シャフトをもつ複数のネジ状接続プレートによる実施形態である様々な実施形態における本発明に係る、乾燥室アセンブリの乾燥材料出口部の斜視図を示す。
【図６】本発明に係る、先細形状の断面領域をもつ軸芯の実施形態を示しているマルチ乾燥室を備える回転乾燥機の正面および背面の断面図を示す。
【図７】本発明に係る、一定の形状の断面領域をもつ軸芯の実施形態を示しているマルチ乾燥室を備える回転乾燥機の正面の断面図を示す。
【図８】ＡおよびＢはそれぞれ先細形状の断面領域および一定の形状の断面領域をもつ実施形態である様々な実施形態における本発明に係る、軸芯の斜視図を示す。
【図９】多孔性かつ湾曲した長方形壁および頑丈かつ湾曲した長方形壁である様々な実施形態における本発明に係る、複数の乾燥室囲い壁の斜視図を示す。
【図１０】ＡからＤはそれぞれ複数の規則的に配置されたプレート、複数のネジ状接続プレート、パドルをもつ複数のネジ状接続プレート、パドルおよび軸方向シャフトをもつ複数のネジ状接続プレートである様々な実施形態における本発明に係る、材料流れ制御アセンブリの斜視図を示す。
【図１１】頑丈かつ湾曲した長方形壁であり、湿潤材料入口アセンブリにある高温気体入口および乾燥材料出口アセンブリにある湿潤気体出口を有する乾燥室囲い壁の実施形態における本発明に係る、マルチ乾燥室を備える回転乾燥機の斜視図および側面図を示す。
【図１２】ＡおよびＢは高温気体が材料の流れ方向に対して横断する方向に流れる場合および高温気体が材料の流れ方向に対して同じ方向または反対の方向に流れる場合である様々な実施形態における直列に接続されている本発明に係る、マルチ乾燥室を備える回転乾燥機の側面図を示す。
【発明を実施するための形態】
【０００８】
図１から図１２は、本発明に係る、マルチ乾燥室を備える回転乾燥機およびそのコンポーネントを示す。
【０００９】
図に示されるように、本発明によるマルチ乾燥室を備える回転乾燥機は、ベースフレーム１と、ベースフレーム１に取り付けられる駆動アセンブリ２であって、駆動アセンブリ２がモータ２．１および複数のローラ２．２を有する、駆動アセンブリ２と、一端に湿潤材料入口部４を有し、他端に乾燥材料出口部５を有する乾燥室アセンブリ３であって、湿潤材料入口部４および乾燥材料出口部５は、駆動アセンブリ２のローラ２．２上に取り付けられる、乾燥室アセンブリ３と、湿潤材料入口部４にかぶせられ、ベースフレーム１に取り付けられる湿潤材料入口アセンブリ６と、乾燥材料出口部５にかぶせられ、ベースフレーム１に取り付けられる乾燥材料出口アセンブリ７と、乾燥室アセンブリ３を包含し、ベースフレーム１に取り付けられる筐体８とを備える。本発明によるマルチ乾燥室を備える回転乾燥機は、乾燥室アセンブリ３が、軸芯１０、軸芯１０の周りに取り付けられる複数の乾燥室間仕切壁１１および複数の乾燥室間仕切壁１１に固定される複数の乾燥室囲い壁１２から形成される複数の乾燥室９を有し、複数の材料流れ制御アセンブリ１３が複数の乾燥室９の各々に提供されることを特徴とする。
【００１０】
上記の実施形態によれば、複数の乾燥室９を有する乾燥室アセンブリ３は、各乾燥室を通じて湿潤材料が広範囲に広がり得、高温気体が材料を通じて流れ得、高温気体と材料との間の接触表面積も増加し、水分交換を効率的に実行することができ、乾燥を急速に実行することができるという利点をもたらす。また、乾燥室内の材料の広範囲の流れは、乾燥室アセンブリ３のバランスのとれた回転をもたらし、使用されるエネルギーは、従来の単一の乾燥室を備える回転乾燥機より少ない。
【００１１】
本発明によれば、軸芯１０は、例えば、キャッサバのチップ、チリ、トウモロコシなどのシート、棒またはストライプのような形状をもつ材料のように流れづらい材料に適している（図６および図８のＡに示されるような）先細形状の断面領域１０．１をもつロッド形状を有する。先細形状の断面領域をもつ軸芯１０は、複数の乾燥室９の壁の傾きをもたらすので、従来の単一の乾燥室を備える回転乾燥機において見られるように一方側が他方側よりも高い傾斜の仕方で乾燥室アセンブリ３を取り付ける必要性がなく、流れづらい材料が、より容易に流れ得るような方式で、材料流れ制御アセンブリ１３の動作に利点をもたらす。
【００１２】
本発明によれば、軸芯１０は、例えば、トウモロコシの種、豆類の種、リュウガンなどの粒状または球形をもつ材料のように流れやすい材料に適している（図７および図８のＢに示されるような）一定の形状の断面領域１０．２をもつロッド形状を有する。材料流れ制御アセンブリ１３の動作はまた、流れやすい材料のより良い流れにおいて利点をもたらす。
【００１３】
本発明によれば、好ましい複数の乾燥室９は、（図６および図７に示されるような）軸芯１０の周りにある少なくとも３部屋を有する。本実施形態は、軸芯１０の周りの各乾燥室を通じて湿潤材料が広範囲に広がることができるという利点をもたらし、乾燥室アセンブリ３のバランスのとれた回転をもたらし、回転に使用されるエネルギーは、従来の単一の乾燥室を備える回転乾燥機より少ない。また、乾燥室の数は、乾燥室アセンブリ３のサイズに適当であり、かつ、それらの大小、長短および薄い、厚い形状で変わり得る湿潤材料の形態に適当であるべく設計され得る。
【００１４】
本発明によれば、（図３に示されるように）複数の乾燥室間仕切壁１１の各々が、長方形壁の形状であり、複数の乾燥室間仕切壁１１の数が複数の乾燥室９の数に等しい。
【００１５】
本発明によれば、（図３および図９に示されるように）複数の乾燥室囲い壁１２の各々が、乾燥室アセンブリ３の周囲の多孔性かつ湾曲した長方形壁１２．１の形状である。本実施形態は、高温気体入口室１４からの高温気体が複数の乾燥室９に流入し得、複数の乾燥室９からの湿潤気体が湿潤気体排出室１５に流出し得るという利点をもたらす。これは高温気体が材料の流れ方向に対して横断する方向に流れる場合に適している。
【００１６】
本発明によれば、（図９、図１１および図１２のＡに示されるように）複数の乾燥室囲い壁１２の各々が、乾燥室アセンブリ３の周囲の頑丈かつ湾曲した長方形壁１２．２の形状であり、高温気体入口６．１が湿潤材料入口アセンブリ６にあり、湿潤気体出口７．１が乾燥材料出口アセンブリ７にあるが、上部筐体８．１、高温気体入口８．１．１、下部筐体８．２および湿潤気体出口８．２．１がない。これは高温気体が材料の流れ方向と同じ方向または反対の方向に流れる場合に適している。
【００１７】
本発明によれば、複数の材料流れ制御アセンブリ１３の各々が、（図１０のＡに示されるように）複数の規則的に配置されたプレート１３．１または（図１０のＢに示されるように）複数のネジ状接続プレート１３．２の形状であり、乾燥室アセンブリ３の回転に従って材料が前方に流れることをもたらすべく複数の乾燥室９の各々に取り付けられる。本実施形態は、所望のとおりに遅く、速くなり得る材料流れ制御の効率を上げるべく利点をもたらす。また、高温気体は、大小、長短および薄い、厚い形状で異なる材料のサイズに従って均一に材料を通じて流れ得る。
【００１８】
本発明によれば、複数の材料流れ制御アセンブリ（１３）の各々が、（図１０のＣに示されるように）パドルをもつ複数のネジ状接続プレート１３．３の形状であり、乾燥室アセンブリ３の回転に従ってターンオーバしながら材料が前方に流れることをもたらすべく複数の乾燥室（９）の各々に取り付けられる。本実施形態は、より良い材料の流れおよびターンオーバの制御の効率を上げるべく利点をもたらし、高温気体は均一に材料を通じて流れ得る。また、高温気体と材料との間の接触表面積が増え、水分交換を効率的に実行することができ、乾燥を急速に実行することができる。
【００１９】
本発明によれば、複数の材料流れ制御アセンブリ１３の各々が、パドルをもつ複数のネジ状接続プレートおよび（図１０のＤに示されるように）撹拌ブレードをもつ軸方向シャフト１３．４の形状であり、複数の乾燥室９の各々に取り付けられる。これは高温気体が材料の流れ方向と同じ方向または反対の方向に流れる場合に適している。本実施形態は、より良い材料流れ制御の効率を上げるべく利点をもたらし、高温気体と材料との間の接触表面積が増すように、高温気体が材料の流れ方向と同じ方向または反対の方向に均一に流れ得、米、大豆などのような乾燥材料にダメージを与えることなく、使用される温度が従来の乾燥機のものよりも高くなり得る。また、このことは、大小、長短および薄い、厚い形状で異なる材料のサイズに従って所望どおりに遅く、速くなり得る材料流れ制御の効率を上げるべく利点をもたらす。
【００２０】
本発明によれば、（図４に示されるように）湿潤材料入口部４は、筐体４．１、駆動リング４．２および筐体４．１に取り付けられる複数のブレード４．３を有する。本実施形態は、湿潤材料が湿潤材料入口アセンブリ６に送られる場合、それが回転すると、湿潤材料が湿潤材料入口部４を通じて流れ、湿潤材料が複数のブレード４．３の間の空間を通じて流れ、次に乾燥室アセンブリ３の複数の乾燥室９の各部屋に流入するという利点をもたらす。
【００２１】
本発明によれば、（図５のＡに示されるように）乾燥材料出口部５は、筐体５．１、駆動リング５．２および筐体５．１に取り付けられる複数の規則的に配置されたブレード５．３を有する。本実施形態は、乾燥材料が乾燥室アセンブリ３の複数の乾燥室９から流れる場合、それが回転すると、乾燥材料が乾燥材料出口部５に流れ、乾燥材料が複数の乾燥材料出口ブレード５．３の間の空間を通じて流れ、次に乾燥材料出口アセンブリ７に流入するという利点をもたらす。
【００２２】
本発明によれば、乾燥材料出口部５は、乾燥材料出口の筐体５．１、駆動リング５．２、複数の規則的に配置されたブレード５．３および軸方向シャフトをもつ複数のネジ状接続プレートの形状である材料流れ制御アセンブリ５．４を有し、材料流れ制御アセンブリ５．４は（図５のＢに示されるように）筐体５．１に取り付けられ、高温気体が材料の流れ方向と同じ方向または反対の方向に流れる場合に適している。本実施形態は、乾燥材料が乾燥室アセンブリ３の複数の乾燥室９から流れる場合、それが回転すると、乾燥材料が乾燥材料出口部５に流れ、乾燥材料が複数の規則的に配置されたブレード５．３の間の空間を通じて流れ、次に材料流れ制御アセンブリ（５．４）に流入し、次に乾燥材料出口アセンブリ７に流入するという利点をもたらす。これは高温の湿潤気体が乾燥材料出口アセンブリ７に流入することを防ぎ得る。
【００２３】
本発明によれば、（図１、図２、図６、図７および図１２のＢに示されるように）筐体（８）が、高温気体入口室（１４）を形成するように乾燥室アセンブリ３の上部を覆い、高温気体入口８．１．１を有する上部筐体８．１および湿潤気体排出室１５を形成するように乾燥室アセンブリ３の下部を覆い、ベースフレーム１上に取り付けられる湿潤気体出口８．２．１を有する下部筐体８．２を有する。本実施形態は、高温気体が材料を通じて均一に複数の乾燥室９内に流れ得る高温気体流れ制御の効率を上げるべく利点をもたらす。
【００２４】
本発明によれば、（図１２に示されるように）マルチ乾燥室を備える回転乾燥機の２またはそれより多くが、直列に接続され得、マルチ乾燥室を備える回転乾燥機の乾燥材料出口部５が、マルチ乾燥室を備える次の回転乾燥機の湿潤材料入口部４にかぶせられ、マルチ乾燥室を備える回転乾燥機からマルチ乾燥室を備える次の回転乾燥機まで材料が連続的に流れることをもたらす。本実施形態は、マルチ乾燥室を備える回転乾燥機の各部屋における乾燥時間を制御できるように、マルチ乾燥室を備える第１の回転乾燥機からマルチ乾燥室を備える第２および第３の回転乾燥機に材料が連続的に移り得るという利点をもたらす。また、高温気体の温度は、異なる水分レベルおよび大小、長短および薄い、厚い形状で異なるサイズを有する材料に適当であるべくそれぞれのマルチ乾燥室を備える回転乾燥機で個別に異なるように制御され得る。
【００２５】
次に、本発明によるマルチ乾燥室を備える回転乾燥機の動作は、本発明のより明確な理解のために説明されるであろう。本発明によるマルチ乾燥室を備える回転乾燥機は、以下の動作を有する。
‐  駆動アセンブリ２の回転に続いて回転させられるべく湿潤材料入口部４、乾燥材料出口部５および乾燥室アセンブリ３を駆動するべく、電気が、モータを回転し、駆動アセンブリ２をアクティベートするためにモータ２．１に供給される。
‐  湿潤材料が、湿潤材料入口アセンブリ６に送られ、重力に従って湿潤材料入口部４に流れ落ちる。
‐  湿潤材料入口部４の回転は、湿潤材料に乾燥室アセンブリ３に流入させる。
‐  乾燥室アセンブリ３の回転および複数の乾燥室９の各々への複数の材料流れ制御アセンブリ１３の取り付けは、材料に材料のターンオーバしながら前方に流れさせる。
‐  同時に、高温気体は、上部筐体８．１の高温気体入口８．１．１に送られ、次に高温気体は高温気体入口室１４に流れ、（複数の乾燥室囲い壁の各々が乾燥室アセンブリ３の周囲の多孔性かつ湾曲した長方形壁１２．１の形状である場合に）複数の乾燥室囲い壁１２を通じて流れる。その後、熱と水分の交換をもたらすべく高温気体は、材料の流れ方向に対して横断する方向に流れる。
‐  材料を通じて流れる高温気体は、より多くの水分および低下した温度によって湿潤気体に変わり、下部筐体８．２にある湿潤気体出口８．２．１を介して次に湿潤気体排出室１５に流れ出るであろう。
‐  熱と水分の交換を通過される材料は、徐々に乾燥され、乾燥材料出口部５に入るべく乾燥室から流出し、次に乾燥材料出口アセンブリ７から次のプロセスへ流出する。
‐  複数の乾燥室囲い壁の各々が乾燥室アセンブリ３の周囲の頑丈かつ湾曲した長方形壁１２．２の形状である場合、高温気体は、材料の流れ方向と同じ方向に流入する。湿潤材料入口アセンブリ６にある高温気体入口６．１および乾燥材料出口アセンブリ７にある湿潤気体出口７．１を提供することが必要であるが、上部筐体８．１、高温気体入口８．１．１、下部筐体８．２および湿潤気体出口８．２．１はない。高温気体は、材料との熱と水分の交換をもたらすべく材料の流れ方向と同じ方向に流れるであろう。
【００２６】
本発明によるマルチ乾燥室を備える回転乾燥機は、上述の実施形態のみに制限がなく、図に示される実施形態のみに制限がないが、本発明の範囲を逸脱することなく変更され得、または修正され得る。例えば、図６、図７および図８に示されるような形状の断面領域をもつロッド形状を有する軸芯１０は、上記の図に示されるものより多くの実施形態を有するべく変更され得る。
【００２７】
発明の最良の形態
本発明の最良の形態は、発明を実施するための形態に開示されているとおりである。
【図１】
2019500570.tif 000003
【図２】
2019500570.tif 000004
【図３】
2019500570.tif 000005
【図４】
2019500570.tif 000006
【図５Ａ】
2019500570.tif 000007
【図５Ｂ】
2019500570.tif 000008
【図６】
2019500570.tif 000009
【図７】
2019500570.tif 000010
【図８Ａ】
2019500570.tif 000011
【図８Ｂ】
2019500570.tif 000012
【図９】
2019500570.tif 000013
【図１０Ａ】
2019500570.tif 000014
【図１０Ｂ】
2019500570.tif 000015
【図１０Ｃ】
2019500570.tif 000016
【図１０Ｄ】
2019500570.tif 000017
【図１１】
2019500570.tif 000018
【図１２Ａ】
2019500570.tif 000019
【図１２Ｂ】
2019500570.tif 000020
【国際調査報告】
2019500570.tif 000021
2019500570.tif 000022